(57)【要約】【課題】優れた泡立ちを有し、希望する粘度に容易に増粘可能な洗浄剤組成物を提供すること。特にチューブに充填する洗顔料として好ましい洗浄剤組成物を提供すること。【解決手段】アニオン性界面活性剤と粘度調整剤とを含有する洗浄剤組成物において、アニオン性界面活性剤がラウリルグリコール酢酸Ｎａであり、粘度調整剤として塩化カルシウムを０．０１〜５質量％配合することを特徴とする洗浄剤組成物である。【選択図】なし【特許請求の範囲】
【請求項１】
アニオン性界面活性剤と粘度調整剤とを含有する洗浄剤組成物において、アニオン性界面活性剤がラウリルグリコール酢酸Ｎａであり、粘度調整剤として塩化カルシウムを０．０１〜５質量％配合することを特徴とする洗浄剤組成物。
【請求項２】
さらに両性界面活性剤を含有することを特徴とする請求項１記載の洗浄剤組成物。
【請求項３】
前記両性界面活性剤がヤシ油脂肪酸アミドプロピルジメチルアミノベタイン及び／又はココアンホ酢酸Ｎａであることを特徴とする請求項１又は２記載の洗浄剤組成物。
【発明の詳細な説明】
【技術分野】
【０００１】
本発明は洗浄剤組成物に関する。さらに詳しくは、泡立ちが良く、希望する粘度に容易に増粘可能な洗浄剤組成物に関する。本発明の洗浄剤組成物は特にチューブに充填する洗顔料として好ましく利用される。
【背景技術】
【０００２】
洗浄剤組成物には、通常、泡立ち性能及び洗浄力に優れるという点から、アニオン性界面活性剤が配合されている。そして、従来はアニオン性界面活性剤を含有する洗浄剤の粘度調整剤には塩化ナトリウムが多用されてきた。
【０００３】
例えば、特許文献１には、ヒドロキシアルキルエーテルカルボキシル型のアニオン性界面活性剤とカチオン性ポリマーを含有する洗浄用化粧品組成物が記載されており、その段落[００４５]には、粘度調整剤として塩化ナトリウムが挙げられている。また、その段落[００３７]にはさらに両性界面活性剤を配合可能なことが記載されている。
【０００４】
また、特許文献２には、（ａ）特定のアニオン性界面活性剤と（ｂ）無機塩および有機塩の中から選ばれる１種または２種以上を含有するペースト状〜固形状の洗浄剤組成物が記載されており、その段落[００１６]には、（ａ）成分のアニオン性界面活性剤としてアルキルヒドロキシエーテルカルボキシアルキルエーテルが例示され、その[００２３]には（ｂ）成分の無機塩としてナトリウム、カリウム、マグネシウム、カルシウムの塩化物、硫化物、臭化物が好ましく用いられることが記載されている。そして、実施例７には、具体的にラウロイルエーテルカルボン酸ナトリウムと塩化マグネシウム及び塩化ナトリウムとを含有するペースト状〜固形状の洗浄料が記載されている。
【０００５】
一方、特許文献３には、起泡性に優れたヒドロキシアルキルエーテルカルボキシル型のアニオン性界面活性剤を配合した洗浄剤組成物が開示され、ラウリルグリコール酢酸Ｎａのモノ体、ジ体、２モノ体等が記載されている。
【特許文献１】特開２０００−２４７８４６号公報
【特許文献２】特開２００３−１２９０９７号公報
【特許文献３】特開昭６３−２８０７９８号公報
【発明の開示】
【発明が解決しようとする課題】
【０００６】
本発明者等は、上述の従来技術に鑑みて、さらに優れた泡立ちを追求するため様々な洗浄剤組成物について鋭意研究した結果、アニオン性界面活性剤にラウリルグリコール酢酸Ｎａを用い、好ましくは両性界面活性剤を併用するとさらに優れた泡立ちを有する洗浄料が得られることを見出したものの、粘度調整剤として塩化ナトリウムを使用すると、その増粘効果が著しく阻害され、希望する粘度の洗浄料を容易に得られないことを見出した。特に両性界面活性剤を併用すると塩化ナトリウムによっては高い粘度の洗浄料は調製出来ない。そして、かかる知見に基づいてさらに鋭意研究した結果、粘度調整剤に塩化カルシウムを使用すると、驚くべきことにラウリルグリコール酢酸Ｎａを使用する洗浄料の粘度を上昇させることが可能となり、さらには両性界面活性剤を併用しても高い粘度の洗浄料が得られることを見出して本発明を完成するに至った。
【０００７】
本発明の目的は、泡立ちに極めて優れた洗浄料を得るために、アニオン性界面活性剤としてラウリルグリコール酢酸Ｎａを使用する洗浄料において、希望する粘度に容易に増粘可能な洗浄料を提供することにある。
【課題を解決するための手段】
【０００８】
すなわち、本発明は、アニオン性界面活性剤と粘度調整剤とを含有する洗浄剤組成物において、アニオン性界面活性剤がラウリルグリコール酢酸Ｎａであり、粘度調整剤として塩化カルシウムを０．０１〜５質量％配合することを特徴とする洗浄剤組成物を提供するものである。
【０００９】
また、本発明は、さらに両性界面活性剤を含有することを特徴とする上記の洗浄剤組成物を提供するものである。
【００１０】
さらに、本発明は、前記両性界面活性剤がヤシ油脂肪酸アミドプロピルジメチルアミノベタイン及び／又はココアンホ酢酸Ｎａであることを特徴とする上記の洗浄剤組成物を提供するものである。
【発明の効果】
【００１１】
本発明の洗浄剤組成物は、アニオン性界面活性剤にラウリルグリコール酢酸Ｎａを使用するため泡立ちに極めて優れている。
また、粘度調整剤として塩化ナトリウムを使用すると増粘が困難となり、特に両性界面活性剤を併用すると希望する高粘度の洗浄料が得られない。これに対して、本発明の洗浄剤組成物は、粘度調整剤に塩化カルシウムを使用することにより、顕著な増粘効果が得られ、希望する粘度に増粘可能な洗浄料を提供できる。
本発明の洗浄剤組成物は、希望する粘度に容易に増粘可能であるので、特にチューブに充填するために高い粘度を有する必要がある洗浄料として好ましく利用される。好ましい製品としてはチューブ入りのジェル状洗顔料である。チューブ入り洗顔料として最も出し易い最適な粘度に調整でき、手のひらで泡立て易く、顔面にも塗布し易いからである。
また、高い粘度を有する洗浄剤組成物は、顔面のみらならず身体にも塗布し易いので、優れたボディー用洗浄料としても好ましく利用される。
【発明を実施するための最良の形態】
【００１２】
本発明に使用するアニオン性界面活性剤には、洗浄料に使用される多くのアニオン性界面活性剤中からラウリルグリコール酢酸Ｎａを選択的に使用する。ラウリルグリコール酢酸Ｎａは公知のアニオン性界面活性剤である。
ラウリルグリコール酢酸Ｎａには、下記化学式のモノ体が好ましく利用される。なお、モノ体の他に、ジ体、２モノ体も存在するが、これらを使用することも可能である。モノ体に、ジ体及び２モノ体が混合した混合物も好ましく使用することができる。
［化１］
モノ体：Ｃ10Ｈ21Ｃ（ＯＨ）ＣＨＣＨ2ＯＣＨ2ＣＨ2ＣＯＯＮａ
［化２］
ジ体：Ｃ10Ｈ21Ｃ（ＯＣＨ2ＣＨ2ＣＯＯＮａ）ＣＨＣＨ2ＯＣＨ2ＣＨ2ＣＯＯＮａ
［化３］
２モノ体：Ｃ10Ｈ21Ｃ（ＯＣＨ2ＣＨ2ＣＯＯＮａ）ＣＨＣＨ2ＯＨ
【００１３】
ラウリルグリコール酢酸Ｎａの配合量は、希望する泡立ちと洗浄力に応じて適宜決定されるが、洗浄剤組成物全量に対して、通常０．１〜１０質量％であり、好ましくは１〜８質量％、さらに好ましくは２．５〜５質量％である。
【００１４】
本発明においては、粘度調整剤に塩化カルシウムを一定量使用することが特徴である。その配合量は洗浄剤組成物全量に対して、０．０１〜５質量％であり、好ましくは０．１〜１質量％、さらに好ましくは０．１〜０．５質量％である。この範囲外では希望する粘度調整が困難になる。
【００１５】
本発明においては、泡立ちの点から、両性界面活性剤を配合することが好ましい。特に好ましい両性界面活性剤は、ヤシ油脂肪酸アミドプロピルジメチルアミノベタイン、ココアンホ酢酸Ｎａ（すなわち、２−アルキル−Ｎ−カルボキシメチル−Ｎ−ヒドロキシエチルイミダゾリン）である。これらは公知の両性界面活性剤であり、市販品を使用出来る。両者を併用しても配合することも好ましい。
【００１６】
両性界面活性剤の配合量は適宜決定されるが、通常、洗浄剤組成物全量に対して、１〜１５質量％であり、好ましくは４〜１０質量％、さらに好ましくは６〜９質量％である。
【００１７】
本発明の洗浄剤組成物は、上記必須成分に水を加えて、常法により混合して製造される。本発明の効果を損なわない範囲で必要により、通常洗浄料に配合される公知成分、例えば、グリセリン、１，３−ブチレングリコール、ジプロピレングリコールなどの保湿剤；センブリ、シャクヤク、イリス、スギナなどの植物抽出成分；トラネキサム酸、アルブチンなどの薬剤；流動パラフィン、スクワラン、オリーブ油、シリコーン油などの油分；セチルアルコール、バチルアルコール、ベヘニルアルコールなどの高級アルコール；香料；防腐剤等を適宜配合することが可能である。
【００１８】
本発明の洗浄剤組成物は皮膚洗浄料や毛髪洗浄料として使用されることが好ましい。さらに好ましくは泡立ちに優れた洗顔料の用途であり、出し易いチューブ入りのジェル状洗顔料として特に好ましく利用される。また、ボディー用洗浄料としても好ましい。
【実施例】
【００１９】
以下、実施例によって本発明をさらに具体的に説明する。本発明はこれらの実施例のみに限定されるものではない。配合量は特に断りのない限り質量％である。
【００２０】
実施例及び比較例のジェル状洗顔料を常法により製造し、泡立ちと粘度を評価した。
【００２１】
「泡立ち」
チューブに充填したジェル状洗顔料を手のひらに取り出し、少量の水を加えて泡立てて洗顔する実使用試験により評価した。
＜評価基準＞
○：１０名中６名以上が良く泡立つと評価
×：１０名中５名以下が良く泡立つと評価
【００２２】
「粘度」
単一円筒型回転粘度計(ビスメトロン粘度計）のＶＳ−Ａ１型（芝浦システム株式会社）を使用して評価した。測定温度は３０℃である。
＜評価基準＞
○：４０００ｍPa・ｓ以上
×：４０００ｍPa・ｓ未満
【００２３】
〔実施例１〕
配合成分                                            質量％
ラウリルグリコール酢酸Ｎａ                              ５．０
ラウレス硫酸Ｎａ                                        ８．１
ヤシ油脂肪酸アミドプロピルジメチルアミノベタイン        ６．０
塩化カルシウム                                          ０．５
グリセリン                                              ６．０
エリスリトール                                          １．０
ジステアリン酸グリコール                                １．７
ジイソステアリン酸ＰＥＧ−８                            ３．５
ジメチコンコポリオール                                  ０．３
クエン酸                                                ０．１
ＥＤＴＡ−２Ｎａ                                        ０．０６
フェノキシエタノール                                    ０．５
安息香酸Ｎａ                                            ０．３２
トコフェロール                                          ０．００１
香料                                                    ０．３
精製水                                                  残余
＜製造方法＞
全ての原料を加熱溶解した後、冷却する。
＜効果＞
泡立ち：○
粘度  ：○
【００２４】
〔実施例２〕
配合成分                                            質量％
ラウリルグリコール酢酸Ｎａ                              ５．０
ラウレス硫酸Ｎａ                                        ８．１
ヤシ油脂肪酸アミドプロピルジメチルアミノベタイン        ６．０
塩化カルシウム                                          ０．３５
グリセリン                                              ６．０
エリスリトール                                          １．０
ジステアリン酸グリコール                                １．７
ジイソステアリン酸ＰＥＧ−８                            ３．５
ジメチコンコポリオール                                  ０．３
クエン酸                                                ０．１
ＥＤＴＡ−２Ｎａ                                        ０．０６
フェノキシエタノール                                    ０．５
安息香酸Ｎａ                                            ０．３２
トコフェロール                                          ０．００１
香料                                                    ０．３
精製水                                                  残余
＜製造方法＞
全ての原料を加熱溶解した後、冷却する。
＜効果＞
泡立ち：○
粘度  ：○
【００２５】
〔実施例３〕
配合成分                                            質量％
ラウリルグリコール酢酸Ｎａ                              ２．５
ココイルメチルタウリンＮａ                              １．５
ヤシ油脂肪酸アミドプロピルジメチルアミノベタイン        ６．０
塩化カルシウム                                          ０．３５
グリセリン                                              ６．０
エリスリトール                                          １．０
ジステアリン酸グリコール                                １．５
ジイソステアリン酸ＰＥＧ−８                            ３．５
ジメチコンコポリオール                                  ０．３
クエン酸                                                ０．１
ＥＤＴＡ−２Ｎａ                                        ０．０６
フェノキシエタノール                                    ０．５
安息香酸Ｎａ                                            ０．３２
トコフェロール                                          ０．００１
香料                                                    ０．３
精製水                                                  残余
＜製造方法＞
全ての原料を加熱溶解した後、冷却する。
＜効果＞
泡立ち：○
粘度  ：○
【００２６】
〔実施例４〕
配合成分                                            質量％
ラウリルグリコール酢酸Ｎａ                            １０．０
ヤシ油脂肪酸アミドプロピルジメチルアミノベタイン      １５．０
塩化カルシウム                                          ０．３５
グリセリン                                              ６．０
エリスリトール                                          １．０
ジステアリン酸グリコール                                １．５
ジイソステアリン酸ＰＥＧ−８                            ３．５
ジメチコンコポリオール                                  ０．３
クエン酸                                                ０．１
ＥＤＴＡ−２Ｎａ                                        ０．０６
フェノキシエタノール                                    ０．５
安息香酸Ｎａ                                            ０．３２
トコフェロール                                          ０．００１
香料                                                    ０．３
精製水                                                  残余
＜製造方法＞
全ての原料を加熱溶解した後、冷却する。
＜効果＞
泡立ち：○
粘度  ：○
【００２７】
〔実施例５〕
配合成分                                            質量％
ラウリルグリコール酢酸Ｎａ                              ５．０
ラウレス硫酸Ｎａ                                        ８．１
ココアンホ酢酸Ｎａ                                      ６．０
塩化カルシウム                                          ０．３５
グリセリン                                              ６．０
エリスリトール                                          １．０
ジステアリン酸グリコール                                １．７
ジイソステアリン酸ＰＥＧ−８                            ３．５
ジメチコンコポリオール                                  ０．３
クエン酸                                                ０．１
ＥＤＴＡ−２Ｎａ                                        ０．０６
フェノキシエタノール                                    ０．５
安息香酸Ｎａ                                            ０．３２
トコフェロール                                          ０．００１
香料                                                    ０．３
精製水                                                  残余
＜製造方法＞
全ての原料を加熱溶解した後、冷却する。
＜効果＞
泡立ち：○
粘度  ：○
【００２８】
〔比較例１〕
配合成分                                            質量％
ココイルメチルタウリンＮａ                              ５．０
ラウレス硫酸Ｎａ                                        ８．１
ヤシ油脂肪酸アミドプロピルジメチルアミノベタイン        ６．０
塩化ナトリウム                                          １．１
グリセリン                                              ６．０
エリスリトール                                          １．０
ジステアリン酸グリコール                                １．７
ジイソステアリン酸ＰＥＧ−８                            ３．５
ジメチコンコポリオール                                  ０．３
クエン酸                                                ０．１
ＥＤＴＡ−２Ｎａ                                        ０．０６
フェノキシエタノール                                    ０．５
安息香酸Ｎａ                                            ０．３２
トコフェロール                                          ０．００１
香料                                                    ０．３
精製水                                                  残余
＜製造方法＞
全ての原料を加熱溶解した後、冷却する。
＜効果＞
泡立ち：×
粘度  ：○
【００２９】
〔比較例２〕
配合成分                                            質量％
ラウリルグリコール酢酸Ｎａ                              ５．０
ラウレス硫酸Ｎａ                                        ８．１
ヤシ油脂肪酸アミドプロピルジメチルアミノベタイン        ６．０
塩化ナトリウム                                          １．１
グリセリン                                              ６．０
エリスリトール                                          １．０
ジステアリン酸グリコール                                １．７
ジイソステアリン酸ＰＥＧ−８                            ３．５
ジメチコンコポリオール                                  ０．３
クエン酸                                                ０．１
ＥＤＴＡ−２Ｎａ                                        ０．０６
フェノキシエタノール                                    ０．５
安息香酸Ｎａ                                            ０．３２
トコフェロール                                          ０．００１
香料                                                    ０．３
精製水                                                  残余
＜製造方法＞
全ての原料を加熱溶解した後、冷却する。
＜効果＞
泡立ち：○
粘度  ：×
【００３０】
〔比較例３〕
配合成分                                            質量％
ラウリルグリコール酢酸Ｎａ                              ５．０
ラウレス硫酸Ｎａ                                        ８．１
ヤシ油脂肪酸アミドプロピルジメチルアミノベタイン        ６．０
塩化カルシウム                                          ５．５
グリセリン                                              ６．０
エリスリトール                                          １．０
ジステアリン酸グリコール                                １．７
ジイソステアリン酸ＰＥＧ−８                            ３．５
ジメチコンコポリオール                                  ０．３
クエン酸                                                ０．１
ＥＤＴＡ−２Ｎａ                                        ０．０６
フェノキシエタノール                                    ０．５
安息香酸Ｎａ                                            ０．３２
トコフェロール                                          ０．００１
香料                                                    ０．３
精製水                                                  残余
＜製造方法＞
全ての原料を加熱溶解した後、冷却する。
＜効果＞
泡立ち：○
粘度  ：×
【００３１】
〔比較例４〕
配合成分                                            質量％
ラウリルグリコール酢酸Ｎａ                              ５．０
ラウレス硫酸Ｎａ                                        ８．１
ヤシ油脂肪酸アミドプロピルジメチルアミノベタイン        ６．０
塩化カルシウム                                          ０．００５
グリセリン                                              ６．０
エリスリトール                                          １．０
ジステアリン酸グリコール                                １．７
ジイソステアリン酸ＰＥＧ−８                            ３．５
ジメチコンコポリオール                                  ０．３
クエン酸                                                ０．１
ＥＤＴＡ−２Ｎａ                                        ０．０６
フェノキシエタノール                                    ０．５
安息香酸Ｎａ                                            ０．３２
トコフェロール                                          ０．００１
香料                                                    ０．３
精製水                                                  残余
＜製造方法＞
全ての原料を加熱溶解した後、冷却する。
＜効果＞
泡立ち：○
粘度  ：×
【００３２】
上記の実施例及び比較例から明らかなように、本発明の洗浄剤組成物は極めて泡立ちと
増粘効果が達成されている。すなわち、アニオン性界面活性剤にラウリルグリコール酢酸Ｎａを使用せず、ココイルメチルタウリンＮａを使用する比較例１では、粘度調整剤に塩化ナトリウムを使用しても増粘されるが、泡立ちが良くない。また、アニオン性界面活性剤にラウリルグリコール酢酸Ｎａを使用した比較例２では泡立ちは良いが、粘度調整剤に塩化ナトリウムを使用しても増粘されない。さらに、粘度調整剤の塩化カルシウムの配合量が０．０１〜５質量％の範囲外である比較例３及び４は増粘効果がない。
すなわち、上記実施例のジェル状洗顔料は、高い粘度を容易に調整出来て、チューブから出し易く、泡立ちに優れ、顔面に塗布し易い優れた洗浄剤組成物である。
【産業上の利用可能性】
【００３３】
本発明の洗浄剤組成物は、泡立ちに優れかつ希望する粘度に調製可能であるから、皮膚洗浄料や毛髪洗浄料として好ましく利用される。製品形態としては、チューブに充填する洗顔料やボディー用洗浄料として特に好ましく利用される。